(57)【要約】【課題】  ユーザが認識しないうちに操作キーが押下されたとしても、ユーザの端末使用感を損なうことなく、また、消費される電流を削減する電子機器を提供する。【解決手段】  筐体の一部が開閉や摺動など可動な電子機器において、その可動部によってキーが覆われた状態のときにそのキーが押下されていることを検出するとキー確認音を出力しない。もしくは、そのキーが覆われていない状態のときにキーが押下されたと検出して出力するキー確認音と異なる音量のキー確認音を出力する。【選択図】  図３
2009206997.tif 000002
【特許請求の範囲】
【請求項１】
筐体と、
前記筐体に設けられたキーと、
前記筐体に対して回動または摺動可能であって、前記キーの上部を覆う閉状態と前記キーの上部を露出させる開状態に位置することが可能な可動部と、
前記可動部が開状態か閉状態かを取得する開閉状態取得手段と、
前記キーの押下を検出するキー押下検出手段と、
前記キー押下検出手段によってキーの押下が検出されたときにキー確認音を出力する音出力手段と、
前記開閉状態取得手段によって取得した開閉状態に応じて前記音出力手段によるキー確認音の出力を制御する制御手段とを有することを特徴とする電子機器。
【請求項２】
前記制御手段は、前記可動部が開状態であるときに前記キー押下検出手段によって前記キーの押下が検出されると、前記音出力手段によってキー確認音を出力するよう制御し、前記可動部が閉状態であるときに前記キー押下検出手段によってその可動部に覆われたキーの押下が検出されると、前記音出力手段によってキー確認音を出力しないよう制御することを特徴とする請求項１に記載の電子機器。
【請求項３】
前記制御手段は、前記可動部が開状態であるときに前記キー押下検出手段によって前記キーの押下が検出されると、前記音出力手段によって第１の音量でキー確認音を出力するよう制御し、前記可動部が閉状態であるときに前記キー押下検出手段によってその可動部に覆われたキーの押下が検出されると、前記音出力手段によって第１の音量と異なる第２の音量でキー確認音を出力するよう制御することを特徴とする請求項１に記載の電子機器。
【請求項４】
前記制御手段は、前記可動部が閉状態であるときに前記キー押下検出手段によってその可動部に覆われたキーの押下が検出されると、前記音出力手段によって出力するキー確認音の音量をそのキー押下の継続時間に応じて段階的に大きくするよう制御することを特徴とする請求項１に記載の電子機器。
【請求項５】
前記制御手段は、前記キー押下検出手段によって前記可動部が閉状態であるときにその可動部に覆われたキーの押下が検出されると、閉状態でキーが押下された回数に応じた音量でキー確認音を出力するよう前記音出力手段を制御することを特徴とする請求項１に記載の電子機器。
【請求項６】
前記制御手段は、前記可動部が開状態であるときに前記キー押下検出手段によって前記キーの押下が検出されると、前記音出力手段によって第１のキー確認音を出力するよう制御し、前記可動部が閉状態であるときに前記キー押下検出手段によってその可動部に覆われたキーの押下が検出されると、前記音出力手段によって第１のキー確認音よりも鳴動時間の長い第２のキー確認音を出力するよう制御することを特徴とする請求項１に記載の電子機器。
【請求項７】
前記制御手段は、前記可動部が開状態であるときに前記キー押下検出手段によって前記キーの押下が検出されると、前記音出力手段によって単音のキー確認音を出力するよう制御し、前記可動部が閉状態であるときに前記キー押下検出手段によってその可動部に覆われたキーの押下が検出されると、前記音出力手段によってキー確認のメロディを出力するよう制御することを特徴とする請求項１に記載の電子機器。
【請求項８】
前記可動部はディスプレイを有する第２の筐体であって、
前記筐体と前記第２の筐体は、回動または摺動可能に結合されていることを特徴とする請求項１ないし請求項６に記載の電子機器。
【請求項９】
回動または摺動することが可能な可動部を有する電子機器であって、
前記可動部が回動または摺動することによって覆われる第１のキーと、
前記可動部の動作に関わらず露出している第２のキーと、
前記可動部によって前記第１のキーが覆われている閉状態か前記可動部によって前記第１のキーが覆われていない開状態かを取得する開閉状態取得手段と、
前記第１のキーおよび前記第２のキーの押下を検出するキー押下検出手段と、
前記キー押下検出手段によって前記第１のキーまたは前記第２のキーが検出されたときにキー確認音を出力する音出力手段と、
前記キー押下検出手段によって前記第１のキーの押下が検出されたときには、前記開閉状態取得手段によって取得した開閉状態に応じて前記音出力手段によるキー確認音の出力を制御し、前記キー押下検出手段によって前記第２のキーの押下が検出されたときには、前記開閉状態取得手段によって開状態を取得しても閉状態を取得しても前記音出力手段によって同じキー確認音を出力するよう制御する制御手段を有することを特徴とする電子機器。
【発明の詳細な説明】
【技術分野】
【０００１】
本発明は電子機器に関する。
【背景技術】
【０００２】
今日、携帯電話機やＰＤＡ（Personal  Data  Assistance）等の小型で携帯可能な電子機器が広く普及している。
【０００３】
これらの電子機器は、液晶ディスプレイパネル等を具備する表示部と、電源キーや数字キー等の操作キーを具備する操作部とを備えているものが多く、表示部はユーザが見易い位置に、また操作部はユーザが操作し易い位置に配置されている。表示部と操作部とは、１つの筐体の上に配置される形態のものもあれば、２つに分かれた筐体の上に夫々が配置される形態のものもある。例えば、２つ折りタイプの携帯電話機は後者の形態であり、表示部が配置される上筐体と操作キーが配置される下筐体とがヒンジ部によって開閉可能に構成されている。
【０００４】
ところで、一般に携帯電話器等の電子機器は、操作状態と非操作状態とに分類できる。
【０００５】
操作状態とは、携帯電話機の場合であれば、ユーザが通話をしたり、表示部を見ながら電子メールをしたりしている状態のことであり、ユーザがいつでも操作キーにアクセス可能な状態である。
【０００６】
一方、非操作状態とは操作状態以外の状態のことであり、例えば、電子機器をカバンやポケットに入れて移動している状態や長期間放置している状態のことである。
【０００７】
非操作状態では、ユーザによる操作キーのアクセスは通常発生しない。しかしながら、操作キーが電子機器の筐体外部に露出していると、カバンやポケットに入れて移動している最中にユーザが意図していないにも関わらず操作キーが押されるため、ユーザの意図しない動作が実行される可能性がある。このような誤作動を避けるため、近時の携帯電話機等では、非操作状態で操作キーが外部に露出しない構造となっているものが一般的になってきている。
【０００８】
例えば、フリップ型携帯電話機ではフリップと呼ばれるカバーを具備しており、非操作時にはフリップを閉じて操作キーを覆い、操作時にはフリップを開く構造としている。フリップが閉じられたときに、操作キーはフリップによって覆われて外部に露出しないため、ユーザの意図しない操作キー押下を防止することができる。２つ折りタイプの携帯電話機においても、上筐体と下筐体とが閉じられた状態では、操作キーが上筐体によって覆われて外部に露出しないため同様にユーザの意図しない操作キー押下を防止することができる。
【０００９】
特許文献１には、非操作状態で操作キーが押下されたことによる動作の防止をさらに強化する技術が開示されている。特許文献１によれば、フリップ型携帯電話機等では、フリップと操作キーの間に異物が挟まった状態でフリップが閉じられる場合があり、このような状況が発生すると、たとえフリップが閉じられていても中に挟まった異物によって操作キーが押され、ユーザの意図しない誤作動が発生しうる、としている。そこで、特許文献１には、フリップが閉じられたときには、操作キーの機能を強制的に総て無効にする技術が開示されている。
【特許文献１】特公平５−４４２１７号公報
【発明の開示】
【発明が解決しようとする課題】
【００１０】
フリップ型携帯電話機のフリップが閉じられた状態や、２つ折りタイプの携帯電話機の上筐体と下筐体とが閉じられた状態で、操作キーが押下されるような場合とは、特許文献１に記載のように、異物が挟まった場合以外にも起こりうる。近時は、２つ折りタイプの携帯電話機等においても従来以上の薄型化が進んでいる。このため、上筐体と下筐体とが閉じられた状態であっても、携帯電話機をポケット等に入れていると上筐体の一部に圧力がかかって部分的に変形し、ユーザが意図しないにも関わらず操作キーが押下されてしまう可能性がある。
【００１１】
ところで、一般的に携帯電話機等の電子機器は、操作キーが押下されたときに所定の音量で音を出力するよう設定することができる。操作キーの押下によって音を出力するよう設定されていた場合、上述のように携帯電話機の上筐体の一部に圧力がかかってユーザが意図せず操作キーが押下されたときにも、音が出力される。
【００１２】
操作キーの押下がユーザにとって意図していないときには、当然、その操作キー押下に伴う音の出力もユーザにとっては意図しないものであるため、このような状態で音が頻繁に出力されていたのでは、ユーザにとって、端末の使用感が悪くなる。また、スピーカから音を出力するための無駄な電流が消費されてしまうという問題点がある。
【００１３】
これを解決するため、特許文献１が開示するように、閉じられた状態では総ての操作キーの機能を無効にしてしまう方法も考えられる。これによって、閉じたときにはスピーカから音を出力しない。しかしながら、この方法では、上筐体を開いた直後からキー入力が可能となるまでの間に遅延時間が発生する虞がある。
【００１４】
また、異物が挟まったことによって操作キーが押下されているような場合、その異物を挟み込んでいる操作キーやディスプレイなどが、異物によって傷つくという問題点もある。操作キーが押下されたことに伴って出力される音は、ユーザが手元で操作しているときに聞こえる程度の音量であるため、ユーザが気付かず、異物の挟まった状態が継続してしまう可能性がある。なお、特許文献１に開示された発明では、携帯電話機を閉じたときにはキー検出を行わないため、操作キーが押下されても音を出力することは無く、異物を挟み込んだ状態をユーザに報知することはできない。
【００１５】
本発明は、上記事情に鑑みてなされたもので、非操作状態において、ユーザが認識しないうちに操作キーが押下されたとしても、ユーザの端末使用感を損なうことなく、また、消費される電流を削減し、さらに、異物によって操作キーが押下されているような状態をユーザに報知することも可能な電子機器を提供することを目的としている。
【課題を解決するための手段】
【００１６】
上記目的を達成するために、本発明による電子機器は、筐体と、前記筐体に設けられたキーと、前記筐体に対して回動または摺動可能であって、前記キーの上部を覆う閉状態と前記キーの上部を露出させる開状態に位置することが可能な可動部と、前記可動部が開状態か閉状態かを取得する開閉状態取得手段と、前記キーの押下を検出するキー押下検出手段と、前記キー押下検出手段によってキーの押下が検出されたときにキー確認音を出力する音出力手段と、前記開閉状態取得手段によって取得した開閉状態に応じて前記音出力手段によるキー確認音の出力を制御する制御手段とを有することを特徴としている。
【発明の効果】
【００１７】
本発明によれば、非操作状態において、ユーザが認識しないうちに操作キーが押下されたとしても、ユーザの端末使用感を損なうことなく、また、消費される電流を削減し、さらに、異物によって操作キーが押下されているような状態をユーザに報知することも可能な電子機器を提供するができる。
【発明を実施するための最良の形態】
【００１８】
以下、本発明の実施形態について図面を参照して説明する。なお、携帯電話機を例にして説明するが、携帯電話機に限定せず、電子辞書、ＰＤＡ、ＰＣなど他の電子機器でも良い。
【００１９】
図１は、本発明の電子機器の実施形態の一例である携帯電話機の外観を示した図である。携帯電話機１は、折り畳み形状の携帯電話機であり、上筐体１１と下筐体１２とがヒンジによって回動可能に接合されており、図１（ａ）のように上筐体１１と下筐体１２とが重ならない状態や、図１（ｂ）のように上筐体１１と下筐体１２とが重なった状態を保持することができる。
【００２０】
上筐体１１には、例えば液晶ディスプレイや有機ＥＬディスプレイなどのディスプレイ１３が配置されている。一方、下筐体１２には、携帯電話機１の入力キー（メインキー１４ａ、電源キー１４ｂ、サイドキー１４ｃ）が配置されている。
【００２１】
なお、メインキー１４ａは、例えば、数字や文字入力に用いられるテンキーやディスプレイ１３に表示されたカーソルに移動などに用いられる方向キー、電子メール等のアプリケーションソフトウェアの起動に用いられるファンクションキーなどから構成される。電源キー１４ｂは、電源のＯＮ／ＯＦＦ操作や音声通話の終話操作などに用いられる。サイドキー１４ｃは、下筐体１２のメインキー１４ａや電源キー１４ｂが配置された面とは異なる面に配置された操作キーであって、所定の機能が割当てられている。
【００２２】
図１（ａ）のように、上筐体１１と下筐体１２とが重ならない状態では、上筐体１１に配置されたディスプレイ１３や、下筐体１２に配置された操作キーのうちメインキー１４ａや電源キー１４ｂが露出しており、ユーザはディスプレイ１３を視認しながらメインキー１４ａと電源キー１４ｂを操作することができる。なお、以降では、図１（ａ）のように、全てのキーが上筐体１１によって覆われていない状態を開状態と称する。
【００２３】
それに対して、図１（ｂ）のように、上筐体１１と下筐体１２とが重ねられた状態では、メインキー１４ａと電源キー１４ｂが上筐体１１によって覆われており、ユーザはメインキー１４ａと電源キー１４ｂとを用いた操作を行うことができない。ただし、サイドキー１４ｃは、上筐体１１によって覆われず、操作可能である。以降では、図１（ｂ）のように、少なくとも１つのキーが上筐体１１によって覆われた状態を閉状態と称する。
【００２４】
携帯電話機１は、このような開状態と閉状態とを検出するために、上筐体１１の端部にホール素子等の磁気センサ１５ａ、下筐体１２の端部に磁石１５ｂを有する。携帯電話機１が閉じられると、磁気センサ１５ａは磁石１５ｂに近接するため、磁気を検知して閉状態を検出することができる。それに対して、携帯電話機１が開かれると、磁気センサ１５ａは磁石１５ｂから離れて磁気が弱くなるため、開状態であることを検出することができる。
【００２５】
なお、開閉状態の検出は、磁気センサと磁石による検出方法に限定されない。例えば、一方の筐体に突起を設け、他方にスイッチを設けて、閉じたときにスイッチが押下されることによって閉状態を検出しても良い。
【００２６】
図２は、このような携帯電話機１の構成を示す図である。携帯電話機１は、制御部５１、音声入出力部５２、信号処理部５３、通信部５４、表示部５５、電源制御部５６、記憶部５７、操作部５８、開閉検出部５９から構成される。
【００２７】
制御部５１は、ＣＰＵなどから構成され、携帯電話機１全体の制御を行う。また、制御部５１は、キー判定手段８１と開閉判定手段８２を有する。
【００２８】
音声入出力部５２は、スピーカ、レシーバ、マイクロホンを有しており、音声通話の受話音声の出力および送話音声の入力や、着信音の出力、記憶部５７に記憶された音楽コンテンツの出力など、音の入出力を行う。
【００２９】
信号処理部５３は、通信部５４から入力されたベースバンドの受信信号を復号し、誤り訂正などの処理を行い、音声入出力部５２へ出力する。また、音声入出力部５２から入力された信号に対しては、符号化や誤り制御などを行って、通信部５４へ出力する。
【００３０】
通信部５４は、アンテナ、変調器、復調器などで構成され、制御部５１の指示に従って、基地局装置と無線通信を行い、受信した無線信号をベースバンド信号に変換して信号処理部５３に出力する。また、信号処理部５３から出力される送信信号は無線信号に変換して空間に放射する。
【００３１】
表示部５５は、ディスプレイ１３を備え、制御部５１の制御に従って、画像や映像を表示する。
【００３２】
電源制御部５６は、電池２から携帯電話機１の一部又は全部の部品への電力の供給を制御する。また、電池２の残存量を確認し、その残存量を制御部５１に伝える。
【００３３】
記憶部５７は、携帯電話機１の設定情報やアプリケーションソフトウェアなどを格納する。
【００３４】
操作部５８は、メインキー１４ａ、電源キー１４ｂ、サイドキー１４ｃと、それぞれのキーの押下を検出するキー検出回路を備えている。キー検出回路では、各々のキーが押下されることによって、制御部５１に出力する信号の電圧レベルが変化する。
【００３５】
制御部５１のキー判定手段８１は、入力される信号の電圧レベルが変化したことによってキーが押下されたことを検知し、入力された操作を判別する。そして、制御部５１は入力操作に基づいた処理を実行するよう携帯電話機１を制御する。
【００３６】
入力操作に基づいた処理の１つには、スピーカからのキー確認音の出力がある。制御部５１は、キー判定手段８１によってキーの押下を検知すると、音声入出力部５２を制御して、スピーカからキー確認音を出力させる。なお、このキー確認音の出力は、ユーザからの設定操作によって、ＯＮまたはＯＦＦを設定することができる。また、キー確認音を出力するときの音量は、ユーザからの設定操作に応じて予め設定できても良いし、ユーザからの設定操作によらず、所定の音量で出力するとしても良い。
【００３７】
開閉検出部５９は、例えば上述のように磁気センサ１５ａと磁石１５ｂによって構成され、磁束密度に応じた電圧レベルの信号を制御部５１へ出力する。制御部５１の開閉判定手段８２は、この信号の電圧レベルが変化したことを検出することによって、携帯電話機１の開閉状態を検出することができる。
【００３８】
また、この開閉判定手段８２によって携帯電話機１の開閉を検出し、現在、携帯電話機１が開いた状態であるか閉じた状態であるかをフラグによって記憶しても良い。例えば、開閉判定手段８２によって携帯電話機１が開かれたことを検出すると、開閉状態を記憶するためのフラグをＯＮに設定し、開閉判定手段８２によって携帯電話機１が閉じられたことを検出すると、そのフラグをＯＦＦに設定する。
【００３９】
以上のような構成の携帯電話機１は、キーが押下されたときにキー確認音を出力するようユーザによる設定がなされていた場合、ユーザはキーを操作していることが触覚だけでなく聴覚によっても確認することができる。その一方で、ユーザ自身によるキーが押下される場合だけでなく、例えば上筐体１１が押圧されることによって撓み、メインキー１４ａおよび電源キー１４ｂが押下されることがある。このようにユーザの意図しないキー押下でも通常どおりの音量でキー確認音を出力すると、静かな環境では、キー確認音がユーザに聞こえてしまい、ユーザにとっては端末の使用感が悪い。また、キー確認音を出力させるために制御部５１から音声入出力部５２へ制御信号を出力するため、電力が無駄に消費されてしまう。
【００４０】
また、例えば、上筐体１１と下筐体１２との間に異物が挟まったことによってメインキー１４ａが押下されているような場合、携帯電話機１が鞄の中などに入れられていると、キー確認音は小さい音量であるためユーザには聞こえない可能性がある。
【００４１】
そこで、携帯電話機１の開閉状態に応じて、開状態のときに上筐体１１によって覆われるキーの確認音の出力を制御する。このとき、閉じた状態では開いた状態よりもキー確認音を大きな音量にするのか、小さな音量（もしくはキー確認音をＯＦＦ）にするのかをユーザが設定することが出来ても良い。
【００４２】
まず、閉じたときにはキー確認音をＯＦＦにする場合の制御部５１の処理について図３を用いて説明する。なお、図３では、メインキー１４ａが押下された場合を例にして説明する。
【００４３】
メインキー１４ａの１つまたは複数が押下されると、メインキー１４ａの検出用回路から出力される電圧レベルが変化する。制御部５１のキー判定手段８１は、この電圧レベルの変化を検出して、メインキー１４ａのいずれかのキーが押下されたことを検出する（Ｓ１０１）。
【００４４】
このとき、キー確認音を出力するようユーザによって設定されているならば（Ｓ１０２のＹｅｓ）、携帯電話機１が、現在、開状態であるか閉状態であるかを記憶したフラグを参照する。携帯電話機１が現在開状態であるならば（Ｓ１０３のＹｅｓ）、制御部５１は、音声入出力部５２を制御して、所定のキー確認音を出力し（Ｓ１０４）、押下されたキーに応じた処理を実行する（Ｓ１０５）。
【００４５】
それに対して、メインキー１４ａの押下が検出されたとき、キー確認音を出力するようユーザによって設定されていたとしても（Ｓ１０２のＹｅｓ）、携帯電話機１が閉状態であったならば（Ｓ１０３のＮｏ）、キーの操作音は出力せずに、押下されたキーに応じた処理を実行する（Ｓ１０５）。
【００４６】
このように、メインキー１２ａが押下されたときに、携帯電話機１が開状態の場合にはキー確認音を出力するが、携帯電話機１が閉状態の場合にはキー確認音を出力しないよう制御することによって、携帯電話機１が閉じられた状態のときに上筐体１１が撓んでキーが押下される場合のように、ユーザの意図しないうちにキーが押下されたとしても、キー確認音を出力させない。
【００４７】
つまり、携帯電話機１の開閉状態に応じて、ユーザが意図しないキー押下であるか否かを判別するため、携帯電話機１が閉状態のときに上筐体１１によって覆われるキー（例えば、メインキー１４ａや電源キー１４ｂ）は、携帯電話機１が閉状態のときにキー確認音を出力しないよう制御する。
【００４８】
その一方で、携帯電話機１の開閉に関わらず露出しているキー（例えば、サイドキー１４ｃ）はユーザによる操作の可能性があるため、キー確認音を出力するようユーザによって設定されているならば、携帯電話機１が開状態であっても閉状態であってもキー確認音を出力するよう制御する。
【００４９】
このように、ユーザの意図しないキー押下ではキー確認音を出力しないよう制御することによって、ユーザの使用感を損なわず、キー確認音の出力による無駄な電力も消費しない。
【００５０】
次に、携帯電話機１の開閉状態に応じてキー確認音の出力を制御する方法として、携帯電話機１が閉状態でのキー確認音と、携帯電話機１が開状態でのキー確認音とが異なるように制御する場合について説明する。図４は、開閉状態に応じてキー確認音の音量を制御する制御部５１の処理を示したフローチャートである。
【００５１】
なお、図４では、メインキー１４ａが押下されたときを例にして説明しているが、携帯電話機１が閉状態のときに隠蔽されるキーであれば良く、例えば、電源キー１４ｂでも良い。また、図４のフローチャートにおいて図３のフローチャートと共通する部分は同じ番号で示し、詳細な説明は省略する。
【００５２】
メインキー１４ａが押下されたときに（Ｓ１０１のＹｅｓ）、キー確認音が出力されるようユーザによって設定されていた場合（Ｓ１０２のＹｅｓ）、現在、開状態であるか閉状態であるかを記憶したフラグを参照して携帯電話機１が現在開状態であるならば（Ｓ１０３のＹｅｓ）、第１の音量でキー確認音を出力し（Ｓ２０１）、押下されたキーに応じた処理を実行する（Ｓ１０５）。それに対して、ステップＳ１０３において携帯電話機１が現在閉状態であると判定されたならば（Ｓ１０３のＮｏ）、第１の音量とは異なる第２の音量でキー確認音を出力し（Ｓ２０２）、押下されたキーに応じた処理を実行する（Ｓ１０５）。
【００５３】
ここで、第２の音量は、第１の音量よりも大きい場合も考えられるし、第１の音量よりも小さい場合も考えられる。これらの音量は予め設定されていても良いし、第２の音量が第１の音量よりも大きくするか小さくするかを、ユーザからの設定によって変更できても良い。
【００５４】
例えば、携帯電話機１の上筐体１１によって頻繁にメインキー１４ａが押下されるような場合には、何度もキー確認音が出力されてユーザの使用感を損なうのを防ぐために、閉状態でのキー確認音量（第２の音量）が開状態でのキー確認音量（第１の音量）よりも小さくなるよう設定する。
【００５５】
それとは反対に、ユーザの意図に反してメインキー１４ａが押下されていることをユーザに報知するために、閉状態でのキー確認音量（第２の音量）が開状態でのキー確認音量（第１の音量）よりも大きくなるよう設定しても良い。
【００５６】
このように、携帯電話機１が閉状態でメインキー１４ａが押下されているときに、キー確認音の音量を大きくしてメインキー１４ａが押下されていることをユーザに気付かせることによって、例えば、異物が挟まっていたとしても、ユーザはそのことにすぐに気付き、異物によってディスプレイ１３やメインキー１４ａなどの表面が傷ついてしまうような可能性を少なくすることができる。
【００５７】
また、携帯電話機１が閉状態でのキー確認音量は、メインキー１４ａが押下されている継続時間に応じて段階的に変化するよう制御しても良い。例えば、携帯電話機１が閉状態でメインキー１４ａが押下された状態が継続している時間が所定の時間以内なら、キー確認音を出力しない、もしくは開状態でのキー確認音よりも小さい音量でキー確認音を出力するように制御し、継続時間がその所定時間を過ぎると、キー確認音の出力音量を大きくするというように、キー確認音量が段階的に大きくなるよう制御する。このキー確認音量の段階は２段階以上であれば良く、最終的な音量は開状態でのキー確認音よりも大きい音量であっても良いし、同じ音量であっても良い。
【００５８】
このように、閉状態でのキー確認音を段階的に大きくするならば、キーが押下されている状態が継続している時間長に応じてユーザに報知することができ、短いキー押下ではユーザに報知しないため、キー確認音が頻繁に出力されない。このため、ユーザの使用感を損なわず、キー確認音の出力制御のための電力消費を削減することができる。一方、長いキー押下ではユーザに異常を報知するためのキー確認音を出力するため、異物を挟み込んでいるような状況をユーザに報知することもできる。
【００５９】
また例えば、携帯電話機１が閉状態でのキー確認音は、閉状態でメインキー１４ａが押下された回数に応じた音量で出力するよう制御しても良い。この場合、制御部５１は、携帯電話機１が閉状態のときにメインキー１４ａが押下される回数をカウントするカウンターを有する。また、カウンターに記憶された回数とキー確認音の音量とを対応付けて記憶している。
【００６０】
制御部５１は、閉状態でメインキー１４ａが押下されると、カウンターに記憶された回数を１増やし、この回数に対応付けられたキー確認音の音量で音声入出力部５２によってキー確認音を出力する。
【００６１】
このカウンターは、携帯電話機１が閉状態から開状態にされたとき、もしくは、開状態から閉状態にされたときに、回数を０にリセットする。
【００６２】
これによって、閉状態でメインキー１４ａが押下されたとき、何度も閉状態でメインキー１４ａが押下されているような場合には、大きな音量のキー確認音を出力することによってユーザにメインキー１４ａが何度も押下されていることを知らせることができる。
【００６３】
なお、ユーザの意図に反してメインキー１４ａが押下されていることをユーザに報知するには、キー確認音の音量を携帯電話機１の開閉状態に応じて変更するだけでなく、開状態でキーが押下されたときの音と閉状態でキーが押下されたときの音を変更しても良い。
【００６４】
例えば、閉状態でキーが押下されたときに出力するキー確認音の時間長と、開状態でキーが押下されたときに出力するキー確認音の時間長とが異なるように制御しても良い。また、開閉状態に応じてキー確認音の音色が異なるように制御しても良いし、開状態では単音のキー確認音を出力する一方で閉状態ではメロディを持った音楽を出力するよう制御しても良いし、閉状態でキー押下が検出されると、警告音として予め設定された音を出力するよう制御しても良い。
【００６５】
以上説明したように、携帯電話機１が閉状態のときに上筐体１１によって覆われるキーが押下された場合のキー確認音を携帯電話機１の開閉状態に応じて制御することによって、ユーザの使用感を損ねず、消費電流の浪費を防ぐことができ、また、ユーザの意図に反してキーが押下されている状態をユーザに報知することもできる。
【００６６】
なお、上記実施形態に限定されることはなく、本発明の要旨を逸脱しない範囲において、適宜変更しても良い。
【００６７】
例えば、携帯電話機１が閉状態のときに覆われるキーが複数ある場合、キーによってキー確認音の制御を変えても良い。例えば、電源キー１４ｂは、押下されることによってユーザの気付かないうちに電源が切られてしまう可能性があるため、押下されていることをユーザに報知するために閉状態で電源キー１４ｂが押下されると、開状態でのキー確認音の音量よりも大きな音量でキー確認音やアラーム音やメロディなどを出力するよう制御するのに対して、メインキー１４ａは、押下されるたびにキー確認音が出力されるのを防ぐために、閉状態でメインキー１４ａが押下されるとキー確認音を出力しない、または、開状態でのキー確認音の出力音量よりも小さい音量でキー確認音を出力するよう制御しても良い。
【００６８】
また、図３および図４に示したフローチャートでは、メインキー１４ａが押下されたときに、携帯電話機１の開閉状態に関わらず、ステップＳ１０５にてキーに応じた処理を実行するとして説明しているが、これに限らず、例えば、携帯電話機１が閉状態のときにはメインキー１４ａや電源キー１４ｂが押下されたまま所定の時間（例えば、３分のような長時間）が経過したときだけ、そのキーに応じた処理を実行するように制御しても良い。
【００６９】
もしくは、メインキー１４ａや電源キー１４ｂが１度押下されたときに実行する処理と長押しされたとき（所定の閾値以上の時間押下され続けたとき）に実行する処理とが異なる場合、携帯電話機１が閉状態のときに隠蔽されるキーが長押しされたとしても、当該キーが１度押下されたときに実行される処理を実行するよう制御しても良い。例えば、電源のＯＮ／ＯＦＦを切り換えが電源キー１４ｂの長押し（例えば、２秒以上押下状態を継続させる）によって実行される場合、携帯電話機１が閉状態のときには電源ＯＮ／ＯＦＦを切り換えない。そのため、キー確認音を大きな音量する、もしくは、段階的にキー確認音を大きくすることによって電源キー１４ｂが押下されていることをユーザに報知する場合、ユーザが報知に気付いて対処する前に電源のＯＮ／ＯＦＦ状態が切り換えられることが無い。
【００７０】
さらに、本実施形態では、折り畳み型の携帯電話機を例にして説明したが、形状は折り畳み型に限らず、スライド型やフリップ型など、筐体の一部が可動であって、その筐体の一部によってキーの単数または複数が覆われる形状ならば良い。例えば図５に示すスライド型の携帯電話機は、開状態（ａ）で全てのキーが露出しており、閉状態（ｂ）でメインキー１１４ａの一部のキーが上筐体１１１によって覆われる。また、図６に示すフリップ型の携帯電話機は、開状態（ａ）で全てのキーが露出しており、閉状態（ｂ）でメインキー２１４ａの一部のキーがフリップ２１６によって覆われる。
【００７１】
さらにまた、本実施形態では、キーが下筐体だけに配置された携帯電話機を例に用いて説明したが、下筐体だけでなく上筐体にもキーが配置された電子機器でも良い。例えば図７のように、下筐体３１２に配置されたメインキー３１４ａや電源キー３１４ｂだけでなく、上筐体３１１に配置されたキー３１４ｄも携帯電話機３００が開状態（ａ）で露出し、閉状態（ｂ）で覆われるならば、この上筐体３１１に配置されたキー３１４ｄが押下されたときも開閉状態に応じてキー確認音の出力を制御して良い。
【００７２】
また、本実施形態では、上筐体と下筐体の短辺がヒンジで接続された形状の携帯電話機を用いて説明したが、例えば電子手帳やノート型のＰＣなどのように、上筐体と下筐体の長辺がヒンジで接続された図８のような折り畳み形状の電子機器でも良い。ヒンジを介して回動可能に接続された上筐体４１１と下筐体４１２とが開状態（ａ）のときに、キー４１４が露出し、閉状態（ｂ）のときに、キー４１４が覆われる。そこで、開閉状態に応じて、閉状態（ｂ）のときに覆われるキー４１４が押下されたときの出力音を制御する。
【００７３】
このように、筐体の一部によってキーが覆われたときに、そのキーのキー確認音の出力を制御することによって、ユーザの意図しないキー押下に起因するキー確認音を出力するための消費電流の削減になるとともに、ユーザの使用感を損なわない。また、ユーザの意図しないうちにキーが押下されている状態をユーザに報知することもできる。
【図面の簡単な説明】
【００７４】
【図１】本発明の実施形態に係る携帯電話機の外観図。
【図２】本発明の実施形態に係る携帯電話機の構成を示すブロック図。
【図３】本発明の実施形態に係る携帯電話機のメインキーが押下されたときの処理を示すフローチャート。
【図４】本発明の実施形態に係る携帯電話機のメインキーが押下されたときの処理を示すフローチャート。
【図５】本発明の他の実施形態に係る携帯電話機の外観図。
【図６】本発明の他の実施形態に係る携帯電話機の外観図。
【図７】本発明の他の実施形態に係る携帯電話機の外観図。
【図８】本発明の他の実施形態に係る電子機器の外観図。
【符号の説明】
【００７５】
１  携帯電話機、１１  上筐体、１２  下筐体、１３  ディスプレイ、１４ａ  メインキー、１４ｂ  電源キー、１４ｃ  サイドキー、１５ａ  磁気センサ、１５ｂ  磁石、２、電池、５１  制御部、５２  音声入出力部、５３  信号処理部、５４  通信部、５５  表示部、５６  電源制御部、５７  記憶部、５８  操作部、５９  開閉検出部
【図１】
2009206997.tif 000003
【図２】
2009206997.tif 000004
【図３】
2009206997.tif 000005
【図４】
2009206997.tif 000006
【図５】
2009206997.tif 000007
【図６】
2009206997.tif 000008
【図７】
2009206997.tif 000009
【図８】
2009206997.tif 000010